(57)【要約】【課題】支持用構造体１に設けられた左右一対のガイドレール２ａ，２ｂに支持された走行体４と、洗浄水など噴射ノズル８，９とを備えた洗車機において、走行体４を平行に円滑且つ確実に走行駆動させることができるようにすること。【解決手段】走行体４には、その左右両端部間にわたって連続する左右水平向きの伝動軸３７ａ，３７ｂが前後一対並列状に支承されると共に、両伝動軸の両端に前記左右一対のガイドレールの水平板部１６ｃ上をそれぞれ転動する支持用車輪３３ａ〜３４ｂが取り付けられ、走行体４の左右方向の一端部には、隣接する片側のガイドレール２ａの凹溝部内に嵌合する垂直軸周りに回転自在な前後一対の位置決め用車輪３５が軸支され、走行体４の内部には、前記２本の伝動軸の中間下側に配置されたモーター３９の出力軸と前記２本の伝動軸とが、三角形状に掛張されたチエンを含むチエン伝動手段３８により連動連結された構成。【選択図】図６
2010173371.tif 000002
【特許請求の範囲】
【請求項１】
支持用構造体と、この支持用構造体に設けられた左右一対のガイドレールに前後往復移動自在に支持された走行体と、この走行体に取り付けられた洗浄水など噴射ノズルとを備えた洗車機であって、前記走行体には、その左右両端部間にわたって連続する左右水平向きの伝動軸が前後一対並列状に支承されると共に、両伝動軸の両端に前記左右一対のガイドレールの水平板部上をそれぞれ転動する支持用車輪が取り付けられ、前記走行体の左右方向の一端部には、隣接する片側のガイドレールの凹溝部内に嵌合する垂直軸周りに回転自在な前後一対の位置決め用車輪が軸支され、前記走行体の内部には、前記２本の伝動軸の中間下側においてモーターが横向きに設置され、このモーターの出力軸と前記２本の伝動軸とが、三角形状に掛張されたチエンを含むチエン伝動手段により連動連結されている、洗車機。
【請求項２】
前記走行体は、左右両端に前記支持用車輪及び位置決め用車輪が軸支された水平本体と、この水平本体の左右両端から垂下する垂直柱部を備え、前記洗浄水など噴射ノズルは、前記水平本体の下側と前記垂直柱部の内側とに取り付けられ、前記水平本体には、その左右の一端から中間適当位置までの領域を、前記伝動軸が内装される上部と片側の前記垂直柱部の洗浄水など噴射ノズルへの洗浄水などの供給管が内装される下部とに分ける、前後方向に貫通した水平凹入空間が形成され、前記支持用構造体側と前記走行体との間に掛け渡される洗浄水などの供給管を支持する配管支持案内手段の前記走行体側の端部が、前記水平凹入空間内に軸支され、当該配管支持案内手段が走行体の移動に伴って前記水平凹入空間内を水平移動するように構成されている、請求項１に記載の洗車機。
【発明の詳細な説明】
【技術分野】
【０００１】
本発明は、定位置に停車させた自動車の車体に洗浄水を噴射させる洗車機に関するものである。
【背景技術】
【０００２】
この種の洗車機として、例えば特許文献１にも記載されるように、支持用構造体と、この支持用構造体に前後往復移動自在に支持された走行体と、この走行体に取り付けられた洗浄水など噴射ノズルとを備えた洗車機が知られており、前記走行体を前後往復移動させる駆動手段は、走行体の走行経路全長にわたって無端状に掛張された駆動チエンと走行体とを連結し、当該無端状チエンをモーター駆動することにより、前記走行体を前後往復移動させるように構成されていた。
【先行技術文献】
【特許文献】
【０００３】
【特許文献１】特開平８−２２６２４３号公報
【発明の概要】
【発明が解決しようとする課題】
【０００４】
上記のように、特許文献１に記載されるような従来のこの種の洗車機では、走行体の全体の左右横幅とほぼ同一か又はそれより広い間隔で支持用構造体に設けられた左右一対のガイドレールで走行体の左右両端部を前後移動自在に支持させる場合、仮に走行体の左右幅方向の中心位置を１本の無端状チエンで引っ張り駆動させる駆動手段では、走行体を完全に平行姿勢に保持させながら円滑に前後往復走行させることは困難であって、仮に片側のガイドレールの凹溝部に嵌合して垂直軸周りに回転する位置決め用車輪を併設したとしても、ガイドレールと走行体側の位置決め用車輪との間に異常な摩擦が生じる。そこで、一般に台車の駆動手段として知られているように、走行体の左右両端に軸支した左右一対の支持用車輪を伝動軸で連動連結し、この伝動軸を介して両支持用車輪をモーターにより同期させて回転駆動する駆動手段が考えられるのであるが、走行体が、駆動手段以外には洗浄水などの噴射ノズルと洗浄水などの供給管を備えている程度の比較的軽量なものであることもあって、左右一対の支持用車輪では、当該車輪とガイドレールとの間に十分な摩擦力が得られないため、走行体を円滑且つ確実に平行姿勢を維持させながら前後往復移動させることが困難である。
【課題を解決するための手段】
【０００５】
本発明は、上記のような従来の問題点を解消することを目的とするものであって、請求項１に記載の発明では、後述する実施形態の参照符号を括弧付きで併記して示すと、支持用構造体(1)と、この支持用構造体(1)に設けられた左右一対のガイドレール(2a,2b)に前後往復移動自在に支持された走行体(4)と、この走行体(4)に取り付けられた洗浄水など噴射ノズル(8,9)とを備えた洗車機であって、前記走行体(4)には、その左右両端部間にわたって連続する左右水平向きの伝動軸(37a,37b)が前後一対並列状に支承されると共に、両伝動軸(37a,37b)の両端に前記左右一対のガイドレール(2a,2b)の水平板部(16c)上をそれぞれ転動する支持用車輪(33a〜34b)が取り付けられ、前記走行体(4)の左右方向の一端部には、隣接する片側のガイドレール(2a)の凹溝部(16d)内に嵌合する垂直軸周りに回転自在な前後一対の位置決め用車輪(35)が軸支され、前記走行体(4)の内部には、前記２本の伝動軸(37a,37b)の中間下側においてモーター(39)が横向きに設置され、このモーター(39)の出力軸と前記２本の伝動軸(37a,37b)とが、三角形状に掛張されたチエン(38d)を含むチエン伝動手段(38)により連動連結された構成となっている。
【０００６】
尚、上記の本発明を実施する場合、具体的には請求項２に記載のように、前記走行体(4)は、左右両端に前記支持用車輪(33a〜34b)及び位置決め用車輪(35)が軸支された水平本体(5)と、この水平本体(5)の左右両端から垂下する垂直柱部(6a,6b)を備えた構造とし、前記洗浄水など噴射ノズル(8,9)は、前記水平本体(5)の下側と前記垂直柱部(6a,6b)の内側とに取り付け、前記水平本体(5)には、その左右の一端から中間適当位置までの領域を、前記伝動軸(37a,37b)が内装される上部と片側の前記垂直柱部(6a)の洗浄水など噴射ノズル(8)への洗浄水などの供給管(7)が内装される下部とに分ける、前後方向に貫通した水平凹入空間(41)を形成し、前記支持用構造体(1)側と前記走行体(4)との間に掛け渡される洗浄水などの供給管(42a)を支持する配管支持案内手段(43)の前記走行体(4)側の端部を前記水平凹入空間(41)内に軸支し、当該配管支持案内手段(43)が走行体(4)の移動に伴って前記水平凹入空間(41)内を水平移動するように構成することができる。
【発明の効果】
【０００７】
請求項１に記載の本発明の構成によれば、走行体は、その左右両端部に左右一対前後二組の合計４つの支持用車輪を備えており、これら４つの支持用車輪の全てを２本の伝動軸を介して１つのモーターにより同期させて回転駆動することができるので、４つの支持用車輪の内の左右一対の２つの支持用車輪のみを駆動する場合と比較して、これら各車輪が比較的小径で且つ走行体全体が比較的軽量に構成されていても、片側のガイドレールの凹溝部に嵌合する垂直軸周りに回転する前後一対の位置決め用車輪の存在と相俟って、当該位置決め用車輪とガイドレールの凹溝部との間に異常な摩擦を生ぜしめることもなく、走行体をして確実に平行姿勢を維持させながら円滑に走行させることができる。又、モーターが前後一対の並列する伝動軸間の下方に横向きに設置されるので、走行体内にモーターをまとまり良く収容することができると共に、前後対を成す支持用車輪にモーター側の重量を均等に作用させることができる、バランスの良い駆動手段を構成することができる。
【０００８】
又、走行体内にモーターや伝動軸を内装することにより、走行体の上側にモーターなどの設置空間が不要になり、支持用構造体を建物の天井面に直付けする場合などにも好都合であるが、その反面、走行体の高さが高くなる。然るに請求項２に記載の構成によれば、その高さが高くなった走行体の左右の何れかほぼ半分の領域に、当該領域を伝動軸を内装する上部と洗浄水などの供給管が配設される下部とに分ける前後方向に貫通した水平凹入空間を形成することにより、走行体の軽量化を図ると同時に、洗浄水など供給管の支持に必要な配管支持案内手段の取り付け空間と、走行体の走行に伴って行なわれる当該配管支持案内手段の水平屈曲運動空間に前記水平凹入空間を活用することができ、走行体の走行に伴って水平屈曲運動を行なう配管支持案内手段を含む装置全体を比較的軽量小型に構成することができる。
【図面の簡単な説明】
【０００９】
【図１】図１は本発明の洗車機を自立型洗車機として実施した場合の洗車機全体を示す斜視図である。
【図２】図２は同上洗車機の側面図である。
【図３】図３は同上洗車機の平面図である。
【図４】図４は同上洗車機の正面図である。
【図５】図５Ａは支持用構造体の一部分を示す拡大縦断正面図であり、図５Ｂは支持用構造体の一部分を示す拡大縦断側面図である。
【図６】図６Ａは門形走行体と左右一対のガイドレールとを示す一部横断平面図であり、図６Ｂは門形走行体と左右一対のガイドレールとを示す縦断正面図である。
【図７】図７は片側のガイドレールに対する門形走行体の支持構造を示す縦断側面図である。
【図８】図８Ａはガイドレール単体間の接続箇所を示す側面図であり、図８Ｂは同Ａ図の横断平面図である。
【図９】図９は片側のガイドレールとその下側における可撓性配管群の支持構造を示す縦断正面図である。
【図１０】図１０Ａは片側のガイドレールの接続箇所とその下側における可撓性配管群の支持構造を示す縦断正面図であり、図１０Ｂは片側のガイドレールと門形走行体との間の可撓性配管群の支持案内手段における可撓性配管群の支持構造を示す縦断正面図である。
【図１１】図１１は前記可撓性配管群の支持案内手段の門形走行体側の部分を示す正面図である。
【図１２】図１２は図１１の横断平面図である。
【図１３】図１３は門形走行体における洗浄水配管系を説明する正面図である。
【図１４】図１４は門形走行体における洗剤配管系を説明する正面図である。
【図１５】図１５は門形走行体におけるワックス配管系を説明する正面図である。
【発明を実施するための形態】
【００１０】
以下、本発明の洗車機を自立型洗車機として実施した場合の実施形態について説明すると、図１〜図４において、１は支持用構造体であって、左右一対のガイドレール２ａ，２ｂと、両ガイドレール２ａ，２ｂの端部どうしを互いに連結する前後一対の連結枠材３ａ，３ｂとから構成され、この支持用構造体１の四隅に取り付けられた支柱部材３０ａ〜３０ｄにより当該支持用構造体１が床面上の洗車対象自動車の停車スペースの真上に水平に支持されている。４は、支持用構造体１に前後方向に走行可能に支持された門形走行体であって、左右一対のガイドレール２ａ，２ｂ間に配置されて両端が両ガイドレール２ａ，２ｂに係合案内される水平本体５と、この水平本体５の両端部から垂下する左右一対の垂直柱部６ａ，６ｂとから構成されている。
【００１１】
門形走行体４には、図４及び図１３に示すように、その門形の全域にわたって連続する洗浄水用配管７が内装固定され、当該洗浄水用配管７には、水平本体５の中央領域の３箇所と左右一対の垂直柱部６ａ，６ｂの下端部の各１箇所にそれぞれ固定された合計５つの洗浄水噴射用回転ノズル８が接続されると共に、左右一対の垂直柱部６ａ，６ｂの中間高さにそれぞれ上下２つずつの洗浄水噴射用向き固定ノズル９が取り付けられており、これら各ノズル８，９から、門形走行体４が取り囲む空間内に向けて洗浄水を噴射できるように構成されている。洗浄水噴射用回転ノズル８は、洗浄水の水圧により駆動されて自転するアームの両端に向き固定ノズルが取り付けられたもので、スプリンクラーなどとして周知のものである。尚、図１、図２、及び図４に示すように、門形走行体４の左右一対の垂直柱部６ａ，６ｂには、その下端部に取り付けられた洗浄水噴射用回転ノズル８に対し作業者などが接触するのを防止するためのガードプレート６ｃが取り付けられている。
【００１２】
尚、この実施形態では、洗浄水だけでなく、洗剤と液状ワックスも噴射できるように、図１４及び図１５に示すように門形走行体４には、洗剤用配管１０とワックス用配管１１も内装されている。洗剤用配管１０の両端には、水平本体５の両端部付近と左右一対の垂直柱部６ａ，６ｂの上端部付近に固定されて、門形走行体４が取り囲む空間内に向けて洗剤を噴射する洗剤噴射用向き固定ノズル１２をそれぞれ先端に備えた分岐配管１０ａ，１０ｂが配管接続具１０ｃを介して接続され、ワックス用配管１１には、水平本体５の中央付近２箇所と左右一対の垂直柱部６ａ，６ｂの上端部近くに固定されて、門形走行体４が取り囲む空間内に向けて液状ワックスを噴射するワックス噴射用向き固定ノズル１３が接続されている。これら洗剤用配管１０やワックス用配管１１には可撓管（ホース）が利用できる。又、門形走行体４に内装された全ての配管７，１０，１１は、水平本体５の中央部に配設された固定中継配管７ａ，１０ｄ，１１ａに接続されている。
【００１３】
支持用構造体１を構成する左右一対のガイドレール２ａ，２ｂは、図３に示すようにそれぞれ２本のガイドレール単体１４を接続手段１５により接続して必要長さを確保するように構成されたものであって、各ガイドレール単体１４は、図５、図６、及び図９に示すように、互いに対面する内側が開放した上側溝形部１６と、外側が開放した下側溝形部１７と、上側溝形部１６の上側水平板部１６ａの先端から垂直に垂下する垂下板部１８とを備えた断面形状に帯状金属板で折曲構成されたものである。尚、１６ｂは上側溝形部１６の垂直背板部、１６ｃは上側溝形部１６と下側溝形部１７との間の共通水平板部、１６ｄは上側溝形部１６の垂直背板部１６ｂと垂下板部１８との間の下側開放の凹溝部、１７ａは下側溝形部１７の垂直背板部、１７ｂは下側溝形部１７の下側水平板部である。
【００１４】
接続手段１５は、図８Ａ及び図１０Ａに示すように、外側連結部材１９と内側連結部材２０とを利用するものであって、外側連結部材１９は、両ガイドレール単体１４に跨がって、その上側溝形部１６の上側水平板部１６ａと垂直背板部１６ｂ及び前記垂下板部１８の外側に隣接するように上から下向きに外嵌する所要長さの断面コ形の形鋼から成り、内側連結部材２０は、下側溝形材１７の内側に横から内嵌する所要長さの断面コ形の形鋼から成るものである。而して、外側連結部材１９は、両ガイドレール単体１４の端部領域における上側溝形部１６の上側水平板部１６ａと垂直背板部１６ｂの長さ方向の複数箇所にボルト２１及びボルトナット２２により固定されるが、両ガイドレール単体１４の上側溝形部１６の上側水平板部１６ａ上で外側連結部材１９が外嵌する端部領域には帯状板２３が固着され、ボルト２１は、前記上側水平板部１６ａに設けられた取付け孔と合致させて前記帯状板２３に設けられた貫通ネジ孔に螺合締結され、上側溝形部１６の内側に突出するナットを使用しないで済む構造となっている。又、内側連結部材２０は、両ガイドレール単体１４の端部領域における下側溝形部１７の垂直背板部１７ａの長さ方向の複数箇所にボルトナット２４により固定されている。
【００１５】
又、支持用構造体１を構成する左右一対のガイドレール２ａ，２ｂの両端面には、図５に示すように、上側溝形部１６と下側溝形部１７の内部空間の長さ方向の端部を塞ぐように取付け板２５が固着されている。一方、前後一対の連結枠材３ａ，３ｂは、内側が横向きに開放されたリップ付き溝形鋼から成るもので、その両端近傍の内側には取付け板２６が固着され、この取付け板２６とガイドレール２ａ，２ｂ側の前記取付け板２５とが、取付け板２６に設けられた貫通ネジ孔に螺合締結される上下２本のボルト２７により結合されて、支持用構造体１が構成されている。尚、ガイドレール２ａ，２ｂ側の取付け板２５には、門形走行体４を行程限で制止させるストッパーボルト２８が、当該取付け板２５の外側に固着された固定ナット２８ａを利用して前後方向位置調整自在に取り付けられている。又、前後一対の連結枠材３ａ，３ｂの両端面には取付け板２９が固着され、これら各取付け板２９に前記支柱部材３０ａ〜３０ｄ（図１参照）の上端部が、図５に示すように、各支柱部材３０ａ〜３０ｄの上端内側面に固着されている取付け板３１に設けられた貫通ネジ孔に螺合締結される上下２本のボルト３２によって取り付けられている。
【００１６】
門形走行体４の水平本体は、図６及び図７に示すように、支持用構造体１の左右一対のガイドレール２ａ，２ｂ間に位置するもので、その両端には、各ガイドレール２ａ，２ｂの上側溝形部１６内に遊嵌して上下両溝形部１６，１７間の共通水平板部１６ｃ上を転動する前後一対の支持用車輪３３ａ，３３ｂ及び３４ａ，３４ｂが軸支され、片側のガイドレール２ｂに隣接する一端には、当該ガイドレール２ｂの上側溝形部１６内に遊嵌してその垂直背板部１６ｂと垂下板部１８との間の下側開放の凹溝部１６ｄに嵌合する前後一対の左右横方向の位置決め用車輪３５が垂直支軸により軸支されている。そして４つの支持用車輪３３ａ〜３４ｂを駆動する駆動手段３６として、前後同一側にある左右一対の支持用車輪３３ａ，３４ａ及び３３ｂ，３４ｂを互いに連動連結する前後２本の並列伝動軸３７ａ，３７ｂと、チエン伝動手段３８を介して両伝動軸３７ａ，３７ｂを同期的に正逆回転駆動する減速機付きモーター３９が水平本体５内に設けられている。尚、モーター３９は、その出力軸が両伝動軸３７ａ，３７ｂ間の中央真下に平行に位置するように、水平本体５内に架設された垂直取付け板４０に左右水平向きで上下高さ調整自在に支持され、チエン伝動手段３８は、両伝動軸３７ａ，３７ｂに取り付けられた歯輪３８ａ，３８ｂとモーター３９の出力軸に取り付けられた歯輪３８ｃとに１本の無端チエン３８ｄを三角形状に掛張したものである。
【００１７】
門形走行体４の水平本体５は、図６Ｂに示すように、ガイドレール２ａに隣接する側の端部から中央位置を超えるまでの領域が、前記駆動手段３５の伝動軸３７ａ，３７ｂを内装する上部と、前記洗浄水用配管７、洗剤用配管１０、及びワックス用配管１１（図１３〜図１５参照）が内装される下部とに水平凹入空間４１によって分けられ、この水平凹入空間４１を利用して、支持用構造体１と門形走行体４との間に掛け渡される可撓性配管群４２の支持案内手段４３が配設されている。
【００１８】
可撓性配管群４２は、図１〜図４、図８、図１１、及び図１２では１本の太いホース状のものとして略示しているが、具体的には、図９及び図１０に示すように、洗浄水用配管７に接続される洗浄水供給管４２ａ、洗剤用配管１０に接続される洗剤供給管４２ｂ、ワックス用配管１１に接続されるワックス供給管４２ｃ、及びモーター３９に対する給電線４２ｄなどの集合体であって、適当間隔おきの位置で結束用バンド（インシュロックと称されるものなど）により結束される。而してこの可撓性配管群４２は、図２及び図３に示すように、ガイドレール２ａの一端に隣接する支柱部材３０ａの内部を経由して当該支柱部材３０ａの上端付近から導出され、ガイドレール２ａの下側に取り付けられた配管支持部材４４内を経由して当該ガイドレール２ａの長さ方向の中央付近まで導かれ、この後、前記配管支持案内手段４３で支持された状態で門形走行体４の水平本体５の中央付近まで導かれ、最後に、洗剤供給管４２ｂは、図１３に示す洗浄水用配管７の固定中継配管７ａに接続され、洗剤供給管４２ｂは、図１４に示す洗剤用配管１０の固定中継配管１０ｄに接続され、ワックス供給管４２ｃは、図１５に示すワックス用配管１１の固定中継配管１１ａに接続され、そして給電線４２ｄは、モーター３９に結線される。尚、門形走行体４の走行制御を地上側の制御装置によって行なわせる場合は、その制御のための各種センサーの信号を地上側の制御機器に伝送する信号線なども、前記可撓性配管群４２の中に集合させることができる。
【００１９】
前記ガイドレール２ａの下側に取り付けられた配管支持部材４４は、図８及び図９に示すように、内側に向かって横向きに開放するリップ付き溝形鋼によって構成されたもので、その上側水平板部がガイドレール２ａの下側溝形部１７の下側水平板部１７ｂの下側に複数本のボルトナット４５によって取り付けられ、この配管支持部材４４内に入れられた可撓性配管群４２は、適当間隔おきに配置された固定具４６により、当該配管支持部材４４の垂直背板部４４ａにまとめて固定されている。固定具４６は、コ字形ボルト４６ａとナット４６ｂから成るもので、コ字形ボルト４６ａの内側に可撓性配管群４２が収容される。
【００２０】
配管支持案内手段４３は、図１〜図４、図６、図８、図１０〜図１２に示すように、垂直支軸４７により互いに連結されて当該垂直支軸４７の周りに水平に相対揺動自在な一対の配管支持部材４８，４９を利用するものであって、一方の配管支持部材４８の遊端は、ガイドレール２ａの長さ方向の中央位置、即ち、ガイドレール単体１４どうしを接続する接続手段１５の真下位置で当該ガイドレール２ａに、垂直支軸５０により当該垂直支軸５０の周りに水平揺動自在に連結され、他方の配管支持部材４９の遊端は、門形走行体４の水平本体５に形成されている前記水平凹入空間４１内で、当該水平本体５の長さ方向の中央位置に垂直支軸５１により当該垂直支軸５１の周りに水平揺動自在に連結されている。而して、互いに連結された配管支持部材４８，４９の全長（垂直支軸４７を経由する垂直支軸５０，５１間の長さ）は、図３に示すように、門形走行体４がガイドレール２ａ，２ｂ全長に及ぶ走行経路の両端にあるとき、当該走行経路の中央位置にある前記垂直支軸５０と門形走行体４側の垂直支軸５１との間の直線距離よりも長く、門形走行体４が走行経路内の何れの位置にあっても配管支持部材４８，４９が、中間の垂直支軸４７の位置が両端の垂直支軸５０，５１をつなぐ仮想直線に対し常に同一側（図示例では連結枠材３ｂのある側）に離れて位置する折れ曲がり状態となるように構成されている。
【００２１】
配管支持部材４８の遊端を軸支する垂直支軸４７は、ガイドレール単体１４どうしを接続する接続手段１５の内側連結部材２０の長さ方向中央位置に上半部が固着され、当該垂直支軸４７の下半部は、隣接するガイドレール単体１４の下側溝形部１７の下側水平板部１７ｂ間に形成された切欠きを経由して下方に延出し、この垂直支軸４７の下半部に配管支持部材４８の遊端が水平揺動自在に支持されている。又、配管支持部材４８，４９は、折れ曲がり状態での外側（鈍角側）に向かって水平横向きに開放する溝形鋼で構成されており、可撓性配管群４２は、これら配管支持部材４８，４９を構成する溝形鋼内に収容された状態で、配管支持部材４４に可撓性配管群４２を固定する固定具４６と同一の固定具４６により、各配管支持部材４８，４９の長さ方向適当間隔おきの位置に固定されている。門形走行体４側の配管支持部材４９には、その遊端側の垂直支軸５１に近い位置において、垂直背板部に矩形の配管導出窓５２が設けられ、可撓性配管群４２は、配管支持部材４９内から配管導出窓５２を通って配管支持部材４９の裏側に引き出され、水平に迂回した後に門形走行体４の水平本体５内に導き入れられる。尚、配管導出窓５２には、その周縁にゴムなどからなる保護部材５２ａが装着されている。
【００２２】
尚、両配管支持部材４８，４９は、図３に示すように門形走行体４の走行に伴って折曲角度と向きが変化するので、この両配管支持部材４８，４９の折曲角度と向きの変化で可撓性配管群４２に無理な力が作用しないように、両端と中間の各折曲箇所である各垂直支軸４７，５０，５１の周りでは可撓性配管群４２が外側に大きく迂回するように配設されている。特に垂直支軸４７，５０の周りで迂回する可撓性配管群４２が下方に垂れ下がるのを防止するために、配管支持具５３が併設されている。この配管支持具５３は、図８、及び図１０〜図１２に示すように、配管支持部材４８，４９を構成する溝形鋼の内側で垂直支軸４７，５０に筒体５４を自転可能に遊嵌し、この筒体５４に一対の矩形枠材５５ａ，５５ｂの一端を、両矩形枠材５５ａ，５５ｂが平面視においてほぼ９０度の間隔で筒体５４から放射状に延出するように固着し、両矩形枠材５５ａ，５５ｂの下側水平軸部上でほぼ直角三角形状の支持板５６の両側辺を支持固着して成るものである。可撓性配管群４２は、各配管支持部材４８，４９の両側の矩形枠材５５ａ，５５ｂ内を通され、両矩形枠材５５ａ，５５ｂ間において支持板５６上に支持される。
【００２３】
尚、矩形枠材５５ａ，５５ｂを省いて支持板５６を直接筒体５４に固着しても良いし、矩形枠材５５ａ，５５ｂに代えて、支持板５６を支持する水平軸部とその先端から垂直に立ち上がる垂直起立軸部のみから成る一対のＬ形枠材を使用することもできる。又、支持板５６を省いて一対の矩形枠材５５ａ，５５ｂ又は前記Ｌ形枠材のみで可撓性配管群４２を支持させることも可能である。何れの場合も、可撓性配管群４２の少なくとも配管支持部材４８，４９で支持されない領域は、図１０及び図１２にそれぞれ仮想線で示すように、コイル状保護材（可撓性配管群４２を通すことのできる内径のチューブでも良い）５７で囲繞し、可撓性配管群４２の配管や電線を保護することができる。
【００２４】
以上のように構成された洗車機の使用方法を説明すると、図２〜図４に仮想線で示すように４本の支柱部材３０ａ〜３０ｄで囲まれた支持用構造体１の下側床面上エリア内に洗車対象の自動車を停車させ、走行経路の一端で待機している門形走行体４を走行させる。即ち、駆動手段３６のモーター３９を稼働させ、チエン伝動手段３８と伝動軸３７ａ，３７ｂを介して、門形走行体４の水平本体５の両端にあるそれぞれ前後一対の支持用車輪３３ａ〜３４ｂを同一方向に同一速度で回転駆動し、門形走行体４を左右一対のガイドレール２ａ，２ｂに沿って前後方向に走行させる。このとき、門形走行体４の水平本体５の一端に軸支された前後一対の位置決め用車輪３５が、片側のガイドレール２ａの上側溝形部１６の垂直背板部１６ｂと垂下板部１８との間の溝形レール部に案内されることにより、門形走行体４はガイドレール２ａ，２ｂに沿って円滑に直進走行することができる。又、門形走行体４が走行経路端に達したとき、支持用車輪３３ａ〜３４ｂの内、走行方向側の車輪がガイドレール２ａ，２ｂの端部に配設されたストッパーボルト２８（図５参照）に当接することにより制止される。
【００２５】
上記のように門形走行体４を走行させると同時に、可撓性配管群４２の洗浄水供給管４２ａ、洗剤供給管４２ｂ、及びワックス供給管４２ｃを介して洗浄水、洗剤、及びワックスを適当時期に所要時間だけ供給することにより、走行する門形走行体４が備える図１３の各洗浄水噴射用回転ノズル８及び各洗浄水噴射用向き固定ノズル９、図１４に示す各洗剤噴射用向き固定ノズル１２、及び図１５に示す各ワックス噴射用向き固定ノズル１３から、当該門形走行体４の内側に位置する自動車の周面や天井面に、洗浄水、洗剤、及びワックスを適当時期に所要時間だけ噴射することができる。洗浄効果を高めるために手作業でのブラッシングや拭き取りが必要ならば、門形走行体４を停止させて、又は走行する門形走行体４から離れた位置で当該手作業を行なうことができる。勿論、洗浄水、洗剤、及びワックスなどの噴射作業は、門形走行体４の片道走行の間に全てを完了させるのでなく、門形走行体４の一往復走行又は複数回の往復走行の間に分けて行なうことができる。
【００２６】
門形走行体４の走行時には、支持用構造体１の配管支持部材４４と門形走行体４との間に掛け渡されている可撓性配管群４２は、図３に示すように門形走行体４の走行に伴って向きや折れ曲がり角度が変化する配管支持案内手段４３の配管支持部材４８，４９によって常に水平状態に支持されており、走行する門形走行体４に対し可撓性配管群４２の各配管及び電線を介して行なわれる洗浄水、洗剤、ワックス、及び電力などの供給は支障なく行なわれる。
【産業上の利用可能性】
【００２７】
本発明の洗車機は、営業設備としての洗車設備や一般家庭のカーポート、車庫などに組み込むことができ、一般的にはブラッシングや乾燥機能を持たない手洗い洗車機として利用できるものであるが、場合によっては、門形走行体にブラッシング装置や水分吹き飛ばし装置などを組み込んで、フル機能の洗車機として実施することも可能なものである。
【符号の説明】
【００２８】
１    支持用構造体
２ａ，２ｂ    ガイドレール
３ａ，３ｂ    連結枠材
４    門形走行体
５    水平本体
６ａ，６ｂ    垂直柱部
７    洗浄水用配管
８    洗浄水噴射用回転ノズル
９    洗浄水噴射用向き固定ノズル
１０    洗剤用配管
１１    ワックス用配管
１２    洗剤噴射用向き固定ノズル
１３    ワックス噴射用向き固定ノズル
１４    ガイドレール単体
１５    接続手段
１６    上側溝形部
１６ａ    上側水平板部
１６ｂ，１７ａ    垂直背板部
１６ｃ    共通水平板部
１７    下側溝形部
１７ｂ    下側水平板部
１８    垂下板部
１９    外側連結部材
２０    内側連結部材
２５，２６，２９，３１    取付け板
２８    ストッパーボルト
３０ａ〜３０ｄ    支柱部材
３３ａ〜３４ｂ    支持用車輪
３５    位置決め用車輪
３６    駆動手段
３７ａ，３７ｂ    伝動軸
３８    チエン伝動手段
３９    減速機付きモーター
４１    水平凹入空間
４２    可撓性配管群
４２ａ    洗浄水供給管
４２ｂ    洗剤供給管
４２ｃ    ワックス供給管
４２ｄ    給電線
４３    配管支持案内手段
４４，４８，４９    配管支持部材
４６    固定具
５３    配管支持具
５５ａ，５５ｂ    矩形枠材
５６    支持板
【図１】
2010173371.tif 000003
【図２】
2010173371.tif 000004
【図３】
2010173371.tif 000005
【図４】
2010173371.tif 000006
【図５】
2010173371.tif 000007
【図６】
2010173371.tif 000008
【図７】
2010173371.tif 000009
【図８】
2010173371.tif 000010
【図９】
2010173371.tif 000011
【図１０】
2010173371.tif 000012
【図１１】
2010173371.tif 000013
【図１２】
2010173371.tif 000014
【図１３】
2010173371.tif 000015
【図１４】
2010173371.tif 000016
【図１５】
2010173371.tif 000017